(57)【要約】      （修正有）【課題】表示板の高さを迅速かつ安全に調整することができる昇降式掲示装置を提供する。【解決手段】地中又は構造物より固定された一対の支持体２と、該支持体の上部を連結する略水平の繋ぎ材３と、ウィンチ５からなる昇降手段によって該繋ぎ材の上部に固定された滑車６を介してワイヤ７を巻き上げ又は巻き下げることで前記支持体に対して昇降自在に設けられた掲示部と、から成ることを特徴とする。【選択図】図１
2015168256.tif 000002
【特許請求の範囲】
【請求項１】
地中又は構造物より固定された一対の支持体と、該支持体の上部を連結する略水平の&#32363;ぎ材と、ウィンチからなる昇降手段によって該繋ぎ材の上部に固定された滑車を介してワイヤを巻き上げ又は巻き下げることで前記支持体に対して昇降自在に設けられた掲示部と、から成ることを特徴とする昇降式掲示装置。
【発明の詳細な説明】
【技術分野】
【０００１】
本発明は、上下にスライドする昇降式掲示装置、より詳細には、風雨にさらされることの多い屋外に常設するホワイトボードや掲示板のような、比較的重量があり、安定性が求められる掲示装置を後方からでも確認できるように、任意の高さに昇降させ、その位置に保持させることが可能な昇降式掲示装置に関するものである。
【背景技術】
【０００２】
従来、建設現場においては、当日の作業内容を作業関係者に周知するために、主にホワイトボード等の表示部を屋外に常設して使用している。当該建設現場の作業内容が複雑かつ多岐にわたる場合、作業項目や作業内容、作業概要図等の多くの情報の一覧性が求められるため、大型の表示部を使用することが多い。また、多くの関係者に対して、一度に作業内容を周知しなければならないため、後方からも確認しやすくするために、表示部は比較的高い位置に配設されている。大型の表示部を屋外の高所に配設するため、風雨の影響を受けやすく、安全上・効率上の観点から、かかる掲示装置は、建物や地中に固定されている。
【発明の概要】
【発明が解決しようとする課題】
【０００３】
上述したように従来の固定式の掲示装置では、表示部が高所に配設され、該表示部の高さが一定で調整することができないため、表示内容の掲載又は更新をする場合は、その都度作業台を使用しなければならい等の問題点を有していた。
本発明は、従来の技術の有するこのような問題点に鑑みなされたものであり、その目的とするところは、上述の問題を解決できるものを提供しようとするものである。
【課題を解決するための手段】
【０００４】
本発明は、上記目的を達成するために、地中又は構造物より固定された一対の支持体と、該支持体の上部を連結する略水平の&#32363;ぎ材と、ウィンチからなる昇降手段によって該繋ぎ材の上部に固定された滑車を介してワイヤを巻き上げ又は巻き下げることで前記支持体に対して昇降自在に設けられた掲示部と、から成ることを特徴とする昇降式掲示装置である。
【発明の効果】
【０００５】
本発明は、上述したとおり構成されているので、手巻きウィンチの採用により掲示部の高さを迅速かつ安全に調整できるので後方からの視認性が向上する。
【図面の簡単な説明】
【０００６】
【図１】本発明の実施形態に係る昇降式掲示装置を示す正面図である。
【図２】本発明の実施形態に係る昇降式掲示装置を示す側面図である。
【図３】本発明の実施形態に係る掲示部の表示板を示す表面図である。
【図４】本発明の実施形態に係る掲示部の表示板を示す裏面図である。
【発明を実施するための形態】
【０００７】
本発明の実施形態に係る昇降式掲示装置１は、図１又は図２に示すように、地中又は近接構造物より固定された一対の支持体２と、該支持体２の上部を連結する&#32363;ぎ材３と、該支持体２，２に対して手巻きウィンチ５からなる昇降手段によって該繋ぎ材３の上部に固定された滑車６を介してワイヤ７を巻き上げ又は巻き下げることで昇降自在に設けられた掲示部４とから成る。
【０００８】
支持体２，２は、地中に埋設した杭（不図示）や、近接構造物（不図示）に固定され、略鉛直に立設される。該固定方法は、単管用クランプや、ボルト接合、溶接接合等様々な方法が考えられるが、前記杭や前記近接構造物の状況に応じて使い分ければ良い。支持体２は、後述する掲示部４の左右の縦材９，９に固定されたホイール１２を収納し、該掲示部４を上下に昇降可能にするためのレールの役割を担うため、内側に開口を有する断面視コの字形状のＣ形鋼材を使用する。一対の支持体２，２の上部は略水平の&#32363;ぎ材３で連結する。&#32363;ぎ材３は、支持体２との接合断面が一致するように、支持体２と同様の部材を使用する。支持体２と&#32363;ぎ材３との隅角部には、支持体２と&#32363;ぎ材３の背面側から、斜材８を固定する。さらに、必要に応じて支持体２，２間を略水平の補強材１３で連結する。補強材３も、斜材８と同様に、掲示部４の昇降に緩衝しないように、支持体２，２の背面側から固定する。斜材８は、支持体２と&#32363;ぎ材３の背面に面で接するようにするために、Ｌ形鋼材を使用する。上記各種部材間の固定方法は、ボルト接合、溶接等がある。屋外に常設するため、各種部材やボルトといった鋼製の部材には、錆止め塗装を施す。
【０００９】
掲示部４は、略鉛直の縦材９，９の上下部を略水平の横材１０，１０で連結した額縁形状の枠体である。縦材９，９の上下２か所には、掲示部４を支持体２に対して上下に昇降可能にするためのホイール１２が固定される。縦材９および横材１０は、接合断面が一致するように、同じＬ形鋼材を使用する。ホイール１２には、ステンレス製の戸車を使用する。上記各種部材間の固定方法は、ボルト接合、溶接等がある。屋外に常設するため、各種部材やボルトといった鋼製の部材には、錆止め塗装を施す。
【００１０】
掲示部４には、ホワイトボード（不図示）を貼り付けるための表示部１４を固定する。表示部１４の表面は図３に示すように、４枚のトタン材１５，１５，１５，１５から構成される。トタン材１５は、表面が白色のカラートタンを用いる。表示部１４の裏面は、トタン材１５を補強するため、略鉛直の表示板縦材１６，１６の上下部を略水平の表示板横材１７，１７で連結した額縁形状とする。前記表示板縦材１６，１６のほぼ中間位置に、表示板横材１７を略水平に連結し、表示部を鉛直に略４等分割するように、表示板１６，１６，１６を表示板横材１７，１７，１７に略鉛直に連結する。さらに、各表示板横材１７の略中間の位置に略水平に表示板補強材１８，１８を固定する。表示板補強材１８には、平形鋼を使用する。上記各種部材間の固定方法は、ボルト接合、溶接等がある。屋外に常設するため、各種部材やボルトといった鋼製の部材には、錆止め塗装を施す。
【００１１】
図１、図２に示すように、手巻きウィンチ５は、支持体２の側面に固定する。手巻きウィンチ５は、作業台等を使用しなくても迅速に巻き上げ又は巻き下げできる高さに固定される。滑車６，６は、&#32363;ぎ材３の上面の左右に固定され、掲示部４の上部横材１０の左右の上面に固定したワイヤクリップ１１が固定される。滑車６は、ステンレスボックス滑車を使用し、ワイヤクリップ１１は、ステンレス製のＵボルトを使用している。滑車６，６を介して、掲示部４のワイヤクリップ１１に取付けたワイヤ７を手巻きウィンチ５を巻き上げ又は巻き下げすることにより、掲示部４が任意な高さに昇降可能となる。掲示部４を所定の高さに調整後、安全ロックピン（不図示）により掲示部４の高さを保持する。上記各種部材間の固定方法は、ボルト接合、溶接等がある。屋外に常設するため、各種部材やボルトといった鋼製の部材には、錆止め塗装を施す
【００１２】
本実施形態に係る昇降式掲示装置によれば、作業台等を使用せずに、手巻き式ウィンチ５を巻き上げ又は巻き下げすることにより、掲示部４を迅速かつ安全に任意の高さまで調整できるので後方からの視認性が向上する。
【符号の説明】
【００１３】
１    昇降式掲示装置
２   支持体
３   &#32363;ぎ材
４   掲示部
５    手巻きウインチ
６   滑車
７   ワイヤ
８   斜材
９   縦材
１０ 横材
１１ ワイヤクリップ
１２ ホイール
１３ 補強材
１４ 表示板
１５ トタン材
１６ 表示板縦材
１７ 表示板横材
１８ 表示板補強材
【図１】
2015168256.tif 000003
【図２】
2015168256.tif 000004
【図３】
2015168256.tif 000005
【図４】
2015168256.tif 000006